(57)【要約】      （修正有）【課題】製造コストを安価に保ち、情報をより多く記憶でき、手書きの手間がかからないマルチメディア手帳、はがき、写真およびシールを提供する。【解決手段】携帯電話を導入したマルチメディア手帳であり、携帯電話１０１のカメラが、マクロレンズ１０２と接続しており、マクロレンズが手帳１０５の印刷媒体の上に印刷されたドットパターン１０４に向いていることを用いて、マクロレンズの焦点距離を確保する支柱１０３を印刷媒体に接触させて打ち合わせの内容に関する音声や動画などを録画し、手帳に印刷されたドットパターンのコード値と紐付ける。再生時は、マクロレンズが付いた携帯電話を、手帳の該当ページにタッチすると、その時に録画した内容を再生することができる。【選択図】図１
0003184862.tif 000002
【実用新案登録請求の範囲】
【請求項１】
携帯電話を導入したマルチメディア手帳の構成であって、
その特徴は携帯電話のカメラが、マイクロレンズと接続している、
マイクロレンズが手帳の印刷媒体の上に印刷されたドットパターンを向いている。
【請求項２】
携帯電話を導入したマルチメディアはがきの構成であって、
その特徴は携帯電話のカメラが、マイクロレンズと接続している、
マイクロレンズがはがきの印刷媒体の上に印刷されたドットパターンを向いている。
【請求項３】
携帯電話を導入したマルチメディア写真の構成であって、
その特徴は携帯電話のカメラが、マイクロレンズと接続している、
マイクロレンズが写真の印刷媒体の上に印刷されたドットパターンを向いている。
【請求項４】
携帯電話を導入したマルチメディアシールの構成であって、
その特徴は携帯電話のカメラが、マイクロレンズと接続している、
マイクロレンズがシールの印刷媒体の上に印刷されたドットパターンを向いている。
【請求項５】
前記、特許請求項１、２、３及び４に記載されたマイクロレンズは、
携帯電話がマイクロレンズを介入した焦点距離に合わせて、携帯電話と手帳の間で、一定焦点の支柱或は鏡筒を備えている。
【請求項６】
前記、特許請求項１、２、３及び４に記載されたマイクロレンズは、携帯電話のカメラレンズと密着している。
【請求項７】
前記、特許請求項１、２、３及び４に記載された印刷媒体の異なる場所に合わせて、異なるドットパターンを印刷することができる。
【請求項８】
前記、特許請求項１、２、３及び４に記載された携帯電話は、イメージセンサを搭載した音声ペン、ＩＣレコードを含めて、異種類の端末に入れ替われることができる。
【請求項９】
前記、特許請求項１、２、３及び４に記載されたドットパターンは、所定基準ドットに対して、情報ドットの幾何学的な配置、或物理学的な配置により、マルチビット情報を記述することができるドットのマトッリクスの構成である。
【請求項１０】
前記、特許請求項９に記載された情報ドットの幾何学的な配置は、情報ドットの配置に対して、情報ドットの有無、情報ドットの異なる位置、情報ドットの異なる方向、情報ドットの異なる形、情報ドットの異なる数、情報ドットの異なる大きさ、情報ドットの集中或いは、分散の分布、及び二次元コードの組み合わせによって構成した情報ドットの配置を含み、少なくても１種の幾何学的な特性を有することによって、情報を記述することが可能になるドットパターンの構成である。
【請求項１１】
前記、特許請求項９に記載された情報ドットの物理学的な配置は、情報ドットの配置に対して、情報ドットの異なる位相変調（ＰＭ）結果、情報ドットの異なる変調（ＡＭ／ＦＭ）結果、情報ドットの異なる伝播方向、情報ドットの異なる力学のベクトル、情報ドットの異なる周波数を含み、少なくでも１種の物理学的な特性を有することによって、情報を記述することが可能になるドットパターンの構成である。
【考案の詳細な説明】
【技術分野】
【０００１】  本考案は情報処理分野に属し、特に、携帯電話を導入したマルチメディア手帳、はがき、写真及びシールの商品構成である。
【背景技術】
【０００２】  ２１世紀以来、電子出版が急速に発展してきた。しかし、電子出版がいくら発展しても、紙出版がなくなることはない。そこで、電子出版と紙出版と融合する印刷のマルチメディア技術が注目されはじめている。【０００３】  この中で、代表的な一つの技術としては、「電子ペンシステム及び電子ペンシステム用機能表示シール」という出願を公開している（特開２０１２−１９０４２７）。また、「電子ペンシステム」（特開２０１２−１６８９１０）や「電子ペンシステム及びこれを用いた広告システム」（特開２０１２−１６８４８９）など出願も発表されている。これらの基本技術は、位置情報パターンが表面に設けられた筆記用の用紙と、前記用紙の表面に筆記動作することで、前記位置情報パターンを読み取り、筆記情報を記録する電子ペンシステムを提案している。【０００４】  電子手帳に関する新しい提案は、「手帳装置」という出願が発表された（特開２０１２−１６０１６０）。具体的発明の内容は、筆記用具で、四角枠状の光導波路を備えた用紙に書き込むときにその筆記用具の先端の移動軌跡を電子データとして記憶することができるシステムである。【０００５】  さらに、電子手帳について、「手書入力機能を有する手帳装置、及び電子手帳システム」という出願の公開もある（特開２００６−１７２２３０）。この技術は、筆記具を用いて手書き入力を行う際に、用紙をタッチパネル部上に置き、タッチパネル部によって筆記具の筆記圧を検知し、手書き座標情報を求めることができる。
【先行技術文献】
【特許文献】
【０００６】
【特許文献１】「電子ペンシステム及び電子ペンシステム用機能表示シール」（特開２０１２−１９０４２７）、
【特許文献２】「電子ペンシステム」（特開２０１２−１６８９１０）
【特許文献３】「電子ペンシステム及びこれを用いた広告システム」（特開２０１２−１６８４８９）
【特許文献４】「手帳装置」（特開２０１２−１６０１６０）
【特許文献５】「手書入力機能を有する手帳装置、及び電子手帳システム」（特開２００６−１７２２３０）
【考案の概要】
【考案が解決しようとする課題】
【０００７】  しかしながら、前記［特許文献１〜３］の提案は、手書き情報の電子化として有効であるが、手書きによって打ち合わせ現場の情報をより詳細に記録することは難しい。また、手書きの手間がかかるや、手帳のスペースに物理的な制限があるなど問題を残している。【０００８】  前記［特許文献４］の商品化はシステムの複雑や手帳のコスト制限など問題が残る。さらに、前記「電子ペンシステム」と同様に、手書きによって打ち合わせ現場の情報をより詳細に記録することは難しい。また、手書きの手間がかかることや、手帳のスペースに制限があるなど問題を残している。【０００９】  前記［特許文献５］は、電子タッチパネルがあれば、紙の必要がないため直感性に欠ける。また、前記「電子ペンシステム」と「手帳装置」と同様な問題を生じる。【００１０】  手帳の製造コストを安価に維持し、打ち合わせ現場等の情報をより多くに記憶でき、手書きの手間がかからない手帳の構成が望ましい。
【課題を解決するための手段】
【００１１】  上記従来例の問題点を解決するための本考案は、携帯電話を導入したマルチメディア手帳の構成であって、
その特徴は携帯電話のカメラが、マイクロレンズと接続している、
マイクロレンズが手帳の印刷媒体の上に印刷されたドットパターンに向いていることを特徴とする。【００１２】  携帯電話を導入したマルチメディアはがきの構成であって、
その特徴は携帯電話のカメラが、マイクロレンズと接続している、
マイクロレンズがはがきの印刷媒体の上に印刷されたドットパターンに向いていることを特徴とする。【００１３】  携帯電話を導入したマルチメディア写真の構成であって、
その特徴は携帯電話のカメラが、マイクロレンズと接続している、
マイクロレンズが写真の印刷媒体の上に印刷されたドットパターンに向いていることを特徴とする。【００１４】  携帯電話を導入したマルチメディアシールの構成であって、
その特徴は携帯電話のカメラが、マイクロレンズと接続している、
マイクロレンズがシールの印刷媒体の上に印刷されたドットパターンに向いていることを特徴とする。【００１５】  本考案は、前記携帯電話がマイクロレンズを介入した焦点の距離と合わせて、携帯電話と手帳の間で、一定焦点の支柱或は鏡筒を備えていることを特徴とする。【００１６】  本考案は、前記マイクロレンズは、携帯電話のカメラレンズと密着していることを特徴とする。【００１７】  本考案は、前記、特許請求１、２、３及び４に記載された印刷媒体の異なる場所に合わして、異なるドットパターンを印刷することができることを特徴とする。【００１８】  本考案は、携帯電話は、イメージセンサーを搭載した音声ペン、ＩＣレコーダーを含めて、異種類端末に入れ替われることを特徴とする。【００１９】    本考案は、前記ドットパターンは、所定基準ドットに対して、情報ドットの幾何学的な配置、或物理学的な配置により、マルチビット情報を記述することができるドットのマトッリクスの構成であることを特徴とする。【００２０】  本考案は、情報ドットの幾何学的な配置は、情報ドットの配置に対して、情報ドットの有無、情報ドットの異なる位置、情報ドットの異なる方向、情報ドットの異なる形、情報ドットの異なる数、情報ドットの異なる大きさ、情報ドットの集中或分散の分布、及び二次元コードの組み合わせによって構成した情報ドットの配置を含み、少なくでも１種の幾何学的な特性を有することによって、情報を記述することが可能になるドットパターンの構成であることを特徴とする。【００２１】  本考案は、情報ドットの物理学的な配置は、情報ドットの配置に対して、情報ドットの異なる位相変調（ＰＭ）結果、情報ドットの異なる変調（ＡＭ／ＦＭ）結果、情報ドットの異なる伝播方向、情報ドットの異なる力学のベクトル、情報ドットの異なる周波数を含み、少なくとも１種類の物理学的な特性を有することによって、情報を記述することが可能になるドットパターンの構成であることを特徴とする。
【考案の効果】
【００２２】  本考案は、携帯電話を導入したマルチメディア手帳の構成を用いて、マイクロレンズを搭載した携帯電話で、該当された手帳の頁に置くと、該当されたドットパターンのコード値を打ち合わせ現場の音声情報の録音や画像情報の録画と紐付けることが可能である。このような構成によると、何時でも、どこでも、マイクロレンズを搭載した携帯電話を用いて、その時の手帳の頁にタッチすると、打ち合わせ内容を再生することができる。【００２３】  本考案は、携帯電話を導入したマルチメディアはがきの構成を用いて、マイクロレンズを搭載した携帯電話で、はがきに置くと、相手に伝えたい音声情報や画像情報をサーバーに登録し、はがき上のドットパターンのコード値と紐付けることが可能である。このようなはがきを相手に送ると、相手はいつでも、どこでも、マイクロレンズを搭載した携帯電話を用いて、届いたはがきにタッチすると、サーバーに登録した音声情報や画像情報を再生することができる。【００２４】  本考案は、携帯電話を導入したマルチメディア写真の構成を用いて、マイクロレンズを搭載した携帯電話で、写真に置くと、写真から再生したい音声情報や画像情報をサーバーに登録し、写真上のドットパターンのコード値と紐付けることが可能である、このような写真を構成すると、何時でも、どこでも、マイクロレンズを搭載した携帯電話を用いて、写真にタッチすると、サーバーに登録された音声情報や画像情報を再生することができる。【００２５】  本考案は、携帯電話を導入したマルチメディアシールの構成を用いて、マイクロレンズを搭載した携帯電話で、シールに置くと、商品に関する偽造情報や追跡情報などに関連される音声情報や画像情報をサーバーに登録し、シール上のドットパターンのコード値と紐付けることが可能である。このようなシールを構成すると、何時でも、どこでも、マイクロレンズを搭載した携帯電話を用いて、シールにタッチすると、サーバーに登録された音声情報や画像情報を再生することができる。
【図面の簡単な説明】
【００２６】
【図１】携帯電話を導入したマルチメディア手帳の構成例を示す図；
【図２】携帯電話を導入したマルチメディアはがきの構成例を示す図；
【図３】携帯電話を導入したマルチメディア写真の構成例を示す図；
【図４】携帯電話を導入したマルチメディアシールの構成例を示す図；
【図５】マイクロレンズユニットの例を示す図；
【図６】異なる方向によってマルチビット情報の記述を示す図；
【図７】異なる形によってマルチビット情報の記録を示す図；
【図８】集中ドットと分散ドットによって情報の記述を示す図；
【図９】異なる位置及び位相変調によってマルチビット情報の記述を示す図；
【図１０】４５度仮想基準線のドットパターンを示す図；
【図１１】物理学形態の位相変調（ＰＭ）によって情報記述を示す図；
【図１２】印刷面積を最大化とするドットパターンの実現方法を示す図；
【図１３】印刷面積を最大化とするドットパターンの応用例を示す図；
【図１４】複数なフォントによりドットパターンの構成方法三例；
【図１５】３＊３個フォントで構成した可変長ドットパターンの例；
【図１６】もう一種類３＊３個フォントで構成した可変長ドットパターンの例；
【図１７】２＊２個フォントで構成した可変長ドットパターンの例；
【図１８】大容量ドットパターンの情報記述例；
【図１９】大容量ドットパターンを示す図；
【考案を実施するための形態】
【００２７】  本考案の実施の形態について図面を参照しながら説明する。ただし本考案が述べた実施例は説明の為であり、限定的ではない。
［実施の形態の概要］
【００２８】  図１は携帯電話を導入したマルチメディア手帳の構成例の示す図である。図１に示すように、本考案の実施の形態に係る携帯電話を導入したマルチメディア手帳の構成は、（１０１）を携帯電話とし、（１０２）を携帯電話カメラのレンズに密着されたマイクロレンズとし、（１０３）を、携帯電話がマイクロレンズを介入した焦点の距離と合わせ、携帯電話と手帳の間で、構成する固定焦点の支柱とし、（１０４）を手帳のある領域に印刷したドットパターンとし、（１０５）を手帳のあるページとする。
【００２９】  携帯電話を導入したマルチメディア手帳の構成の接続関係は、マイクロレンズを携帯電話カメラレンズに密着し、マイクロレンズを、固定焦点用の支柱と一体化されている。支柱をドットパターンに印刷されている印刷媒体と接触している、印刷媒体を手帳のあるページとする。
【００３０】  携帯電話を導入したマルチメディア手帳の構成の使用例は、まず、手帳の各々ページの幾つか個所に異なるコード値のドットパターンを印刷しておく。手帳の各ページを日にちや、手帳の各々ページの幾つか個所を異なる会議にとしてコード値を与えることが適当と思われる。
【００３１】  会議の始める時に、携帯電話のアプリを立ち上げてから、マイクロレンズユニットを携帯電話カメラレンズに接続し、該当する日にちのページのコード値のある個所に置くと、携帯電話によって、会議の内容に関する音声或は動画を記録することができる。携帯電話のアプリが、自動的に記録された音声或は動画を、該当されている日にちの手帳ページのある個所に印刷されたドットパターンのコード値と紐付けることができるので、もし、この会議の内容を調べたい場合には、ただ、携帯電話のアプリを立ち上げてから、マイクロレンズユニットを携帯電話カメラレンズに接続し、該当されている日にちの手帳ページのある個所に置くと、会議の内容に関する音声或は動画を再生することができる。
【００３２】  専用読取器を使用する手帳にとって、携帯電話は、イメージセンサーを搭載した音声ペン、ＩＣレコードを含めて、異種類端末に入れ替われることが考えられる。
ここで、イメージセンサを搭載した音声ペンを、録音機能付いた音声ペンとする。
録音する場合に、音声ペンのイメージセンサーが、ドットパターンを読取ってから、録音する。録音された音声情報をメモリに登録し、ドットパターンのコード値と紐付ける。
再生する時に、該当する手帳の個所にタッチすると、音声ペンのイメージセンサーが、ドットパターンを読取ってから、メモリから該当されている音声情報を呼びたし、再生することができる。
【００３３】    また、イメージセンサを搭載したＩＣレコードを、録音機能付いたＩＣレコーダーとする。
録音する場合に、ＩＣレコーダーのイメージセンサーが、ドットパターンを読取ってから、録音する。録音された音声情報をメモリに登録し、ドットパターンのコード値と紐付ける。
再生する時に、該当された手帳の個所にタッチすると、ＩＣレコードのイメージセンサーが、ドットパターンを読取ってから、メモリから該当音声情報を呼びだし、再生することができる。
【００３４】  図２は携帯電話を導入したマルチメディアはがきの例の示す図。図２に示すように、本考案の実施の形態に係る携帯電話を導入したマルチメディアはがきの構成は、（２０１）を携帯電話とし、（２０２）を携帯電話カメラのレンズに密着されたマイクロレンズとし、（２０３）を、携帯電話がマイクロレンズを介入した焦点の距離と合わせて、携帯電話とはがきの間で、構成する固定焦点の支柱とし、（２０４）をはがきの上に印刷したドットパターンとし、（２０５）をはがきとする。
【００３５】    携帯電話を導入したマルチメディアはがきの構成の使用例は、まず、各々はがきの上に異なるコード値のドットパターンを印刷しておる。この手順は、はがきのお年玉の番号を印刷する時に、行うこともでき、個別でプリンターでドットパターンを印刷することも可能である。
【００３６】  マルチメディア情報の登録は、携帯電話のアプリを立ち上げてから、マイクロレンズユニットを携帯電話カメラレンズに接続し、相手に送りたいはがきの上に置くと、携帯電話によって、友たちに伝えたいメッセージに関する音声或は動画をネットサーバーに送ることができる。また、携帯電話のアプリが、自動的にサーバーに記録された音声或は動画を、はがきの上に印刷されたドットパターンのコード値と紐付けることができる。
このようなはがきを友たちに届けると、友たちが、自分の携帯電話を用いて、携帯電話のアプリを立ち上がってから、マイクロレンズユニットを携帯電話カメラレンズに接続し、届けたはがきの上に置くと、サーバーから登録された音声或は動画を再生することができる。
【００３７】  図３は携帯電話を導入したマルチメディア写真の例の示す図。図３に示すように、本考案の実施の形態に係る携帯電話を導入したマルチメディア写真の構成は、（３０１）を携帯電話とし、（３０２）を携帯電話カメラのレンズに密着されたマイクロレンズとし、（３０３）を、携帯電話がマイクロレンズを介入した焦点の距離と合わして、携帯電話と写真の間で、構成される固定焦点の支柱とし、（３０４）を写真の上に印刷したドットパターンとし、（３０５）を写真とする。
【００３８】  携帯電話を導入したマルチメディア写真の構成の使用例は、まず、各々写真を印刷する時に、異なるコード値のドットパターンと写真画像とを一緒に印刷する。写真の品質を追求する場合は、写真の局所に読取りマークを作って、ドットパターンを印刷することが適当である。
【００３９】  マルチメディア情報の登録は、携帯電話のアプリを立ち上がってから、マイクロレンズユニットを携帯電話カメラレンズに接続し、この写真に関する音声或は動画をネットサーバーに送ることができる。また、携帯電話のアプリが、自動的にサーバーに登録された音声或は動画を、写真の上に印刷されたドットパターンのコード値と紐付けることができる。
【００４０】  結婚写真の場合に、パソコンで、結婚式のビデオを結婚記念写真とリンクしてから、自分の携帯電話を用いて、携帯電話のアプリを立ち上がってから、マイクロレンズユニットを携帯電話カメラレンズに接続し、各々結婚写真の上の読取りマークに置くと、各々写真に該当された音声や動画などを、サーバーから自動的にタウンロートし、携帯電話の画面に再生することができる。
【００４１】  図４は携帯電話を導入したマルチメディアシールの例の示す図。図４に示すように、本考案の実施の形態に係る携帯電話を導入したマルチメディアシールの構成は、（４０１）を携帯電話とし、（４０２）を携帯電話カメラのレンズに密着されたマイクロレンズとし、（３０４）を、携帯電話がマイクロレンズを介入した焦点の距離と合わせて、携帯電話とシールの間で、構成される固定焦点の支柱とし、（４０４）をシールの上に印刷したドットパターンとし、（４０５）をシールとする。
【００４２】  携帯電話を導入したマルチメディアシールの構成の使用例は、まず、各々シールを印刷する時に、異なるコード値のドットパターンとシール画像とを一緒に印刷する。商品の１ロードとして一つのドットパターンのコードの場合に、普通の印刷機で１版として一つのコードとシール画像とを印刷することも良い。
【００４３】  マルチメディア情報の登録は、シールの偽造防止情報、販売地域情報、産地情報、や商品に関連する音声、動画などをパソコンでサーバーに登録し、自動的にサーバーに登録されたシールの偽造防止情報、販売地域情報、産地情報、や商品関連する音声或は動画を、各々シールの上に印刷されたドットパターンのコード値と紐付けることができる。
【００４４】  このような商品シールに対して、消費者が、商品を買う時に、自分の携帯電話を用いて、携帯電話のアプリを立ち上げてから、マイクロレンズユニットを携帯電話カメラレンズに接続し、買いたい商品のシールの上に置くと、サーバーから登録されたシールの偽造防止情報、販売地域情報、産地情報、や商品に関連する音声、動画などを、携帯電話の表示部分に再生することができる。
【００４５】  前記、マルチメディアはがき、写真やシール等に対して、マルチメディア手帳と同様に、携帯電話は、イメージセンサを搭載した音声ペンやＩＣレコーダーなど専用読取り機に代替することができる。
【００４６】  図５はマイクロレンズユニットの例の示す図である。図５の（ａ）を支柱方式のマイクロレンズユニットとし、図５の（ｂ）を鏡筒方式のマイクロレンズユニットとする。図５の（ａ）に示すように、（５０１）を支柱方式のマイクロレンズユニットとし、（５０２）をマイクロレンズとし、（５０３）を支柱とする。ここで、支柱の高さを携帯電話のカメラレンズに介入したマイクロレンズの焦点距離と一致している。
【００４７】  図５の（ｂ）に示すように、（５０１’）を鏡筒方式のマイクロレンズユニットとし、（５０２’）をマイクロレンズとし、（５０３’）を鏡筒とする。ここで、鏡筒の高さを帯電話のカメラレンズに介入したマイクロレンズの焦点距離と一致している。
【００４８】  図６は異なる方向によってマルチビット情報の記述の示す図である。
図６に示すように、６０１を一つのドットパターンとし、６０２および６０３を情報ドットとする。情報ドット６０２と６０３の異なる方向によってマルチビット情報を記述することができる。
【００４９】  図６の中で、図（ａ）のドットバターンを情報０とし、図（ｂ）のドットバターンを情報１とし、図（ｃ）のドットバターンを情報２とし、図（ｄ）のドットバターンを情報３とする。ドットパターンのａ、ｂ，ｃ，ｄは、明らかに異なる方向、異なる電磁波の伝播方向と異なる力学のベクトルの結果によってマルチビット情報の記述を実現することを考える。
【００５０】  図７は異なる形によってマルチビット情報の記録の示す図である。
図７の中で、図形（ａ）のドットバターンを情報０とし、図（ｂ）のドットバターンを情報１とし、図（ｃ）のドットバターンを情報２とし、図（ｄ）のドットバターンを情報３とする。
【００５１】  図８は集中ドットパターンと分散ドットパターンによって情報の記述の示す図である。
図８が示すように、１つのドットパターンの中で、構成したドットパターンを１つのドットとする集中ドットパターンａと、少なくともドットパターンを複数ドットとする分散ドットパターンｂを用いて、情報を記述することできる。集中ドットパターンａを情報ビット値“１”とし、分散ドットパターンｂを“０”とする。相反して、集中ドットパターンａを情報ビット値“０”とし、分散ドットパターンｂを“１”とすることもできる。
【００５２】  それに、集中ドットパターンａを低周波数ドットパターンと、分散ドットパターンｂを高周波数ドットパターンとすることができるため、集中ドットパターンａと分散ドットパターンｂは異なる周波数の成分によって情報を記録することも言える、或は集中ドットパターンａと分散ドットパターンｂは異なるドットパターンのドットの数によって情報を記述することも言える。
【００５３】  さらに、集中ドットパターンａのドットの階調値は高い、また、分散ドットパターンｂの一つのドットの階調値は低いので、集中ドットパターンａと分散ドットパターンｂは一つの点の異なる階調値によって情報を記述するとも言える。
【００５４】  換言すれば、集中ドットパターンａのドットのサイズが大きい、分散ドットパターンｂの一つのドットのサイズが小さいので、集中ドットパターンａおよび分散ドットパターンｂは大きさの異なるドットによって情報を記録するとも言える。
【００５５】  以上の内容に関して、更に多くの言い方があるが、もし以上のドット・パターンの形式と同様にならば、すべて本考案の範囲に属する。
【００５６】  図９は異なる位置及び位相変調によってマルチビット情報の記述の示す図である。図９に示すように：図（ａ）のドットパターンを情報の０とし、図（ｂ）のドットパターンを情報の１とし、図（ｃ）のドットパターンを情報の２とし、そして図（ｄ）のドットパターンを情報の３とすることができる。図（ｅ）と図（ｆ）を、ドットパターンの基準ドットと方向キードットとすることができる。
【００５７】  図９に示した異なる位置及び位相変調によってマルチビット情報を記述することができるドットパターンは３＊３個小さいピクセルの矩形の領域に区分されて配置している。また５＊５個小さいピクセル、或は７＊７個小さいピクセルの配置を設置することもできる。そして、更に必要に応じて、もっと多くの小さいピクセルの矩形の領域を設置することができる。
【００５８】  異なる位置及び位相変調によってマルチビット情報を記述するのは、幾何学の理論によって必ず１つの座標系を導入しなければならない、つまり孤立している情報ドットの異なる位置を幾何学形態の空間の中で求めることができない。普通二次元コードは、ドット・マトリックスの中で、必ず水平基準ドットによって構成された１つの仮想水平基準線、及び垂直基準ドットによって構成された１つの仮想垂直基準線を設置される。
【００５９】  本考案は、できるだけ基準ドットの数を減らすため、また幾何学の線形変換理論によって、ドット・マトリックスの４５度の角で、少ない基準ドットによって構成するただ１つの４５度仮想基準線を提案する。
【００６０】  図１０は４５度仮想基準線のドットパターンの示す図である。
図１０に示すように、１つの情報ドットの４つの異なる位置が２ビットの情報を記述する原理によって、１つの４＊４ドット・マトリックスのドットパターンを構成することができる。図１０には、Ｓ１１、Ｓ２２、Ｓ３３とＳ４４は４５度仮想基準線に配置している基準ドットの配置であり、Ｓ００はドットパターンの方向を表すキードットであり、Ｓ１２、Ｓ１３、Ｓ１４、Ｓ２１、Ｓ２３、Ｓ２４、Ｓ３１、Ｓ３２、Ｓ３４、Ｓ４１、Ｓ４２、とＳ４３は情報ドット・マトリックスである、最高２４ビットの情報の記録ができる。
従来、水平と垂直に２つの仮想基準線を設置されたドットパターンと比べると、６ビットの情報が増えた。そして、図１０に示したドットパターンの仮想基準線が４５度に設置したため、印刷機の水平と垂直方向上の印刷の位置誤差は依然として４５度の仮想基準線に配置された基準ドットに反映することができる、依然として誤差の修正を行うことができる。そして、２次元空間上の一つのドットの位置移動は、必ず任意な二つの基準ドットとの線性関係がある理論によって、一本の仮想基準線を省略しても情報ドット・マトリックスの位置の識別精度に影響しない。
【００６１】  図１１は物理学形態の位相変調（ＰＭ）によって情報記述の示す図である。
図１１に示すように、図９の１つのドットパターン１１０１は、情報ドット１１０２の異なる物理学形態の位相変調（ＰＭ）の信号伝搬によって、構成したａ、ｂ、ｃとｄ、４種類の異なる位相変調の結果の例である。
【００６２】  図１２は印刷面積を最大化とするドットパターンの実現方法の示す図である。
図９と図１０に示したドットパターンの構成は、印刷面積を最小化になっている、即ちドットパターンの実際な階調値が最小化になった印刷画像である。もし図９と図１０のドットパターンの画像を白黒反転すると、図１２に示すように、もう一つの印刷面積を最大化とするドットパターンを構成することができる。図１２では、（１２０１）を印刷しないドットとし、（１２０２）を印刷するドットとする。印刷するドットの集合は印刷面積を構成する。
【００６３】  図１３は印刷面積を最大化とするドットパターンの応用例を示す図である。
図１３に示すように、印刷面積を最大化にするコードの組み合わせに、ドットパターンが構成できる。ここで、上述の印刷面積のところに対して、各種の標識と図案を印刷することができる、このような構成によって、携帯電話を用いて、情報埋込コードにより埋め込んだ画像を読取ることができる。
図１３では、１３０１を情報ドットとし、（１３０２）と（１３０３）を基準ドットとする。図１３のドットパターンの白いドットを保留し、黒い部分を商標、画像或は図形などの図案を表す。
さらに綺麗な商標、画像或は図形等を表示させるため、白いドットの部分の階調値を、商標、画像或は図形などの画像の該当画素の最小階調値より小さくする階調値とする。
【００６４】  図１４は複数フォントによりドットパターン構成方法の三例である。
図１４（２２−１）には、フォントにより水平と垂直の基準ドットがあるドットパターンの構成方法である。
図１４の（２２−１）に示すように、（２２００）を一つの水平と垂直の仮想基準線があるドットパターンのフォントとし、（２２０１）を１つの３＊３セルとし、（２２０２）を情報ドットとする。ｓ１１、ｓ１２、ｓ２１、ｓ２２、ｓ′１１、ｓ′１２、ｓ′２１、及びｓ′２２を情報ドットとし、すべての情報ドットを４つの格子位置に配置することによって、４つのデータ、即ち２ビットの情報を記述することができる。ｓ３１、ｓ３２、ｓ′３１、ｓ′３２を垂直基準ドットとし、ｓ１３、ｓ２３、ｓ′１３、ｓ′２３を水平基準ドットとする。
【００６５】  図１４の（２２−１）の中の（ａ）を普通のフォントとし、その特徴はｓ３３のドットを左へずれていることによって、ドットパターンの方向を表すキードットとする。残りの垂直基準ドットと水平基準ドットはすべて中心に配置している。
図１４の（２２−１）の中の（ｂ）をスタートと終了フォントとし、その特徴はｓ′３３のドットを右へずれているによって、ドットパターンの方向を表すキードットとする。同様に、残りの垂直基準ドットと水平基準ドットはすべて中心に配置している。
【００６６】  図１４の（２２−２）はただ１つの４５度の仮想基準線があるドットパターンのフォントの構成方法である。図１４の（２２−２）に示すように、（２２００′）をただ１つの４５度の仮想基準線があるドットパターンのフォントとし、（２２０１′）を１つの３＊３セルとし、（２２０２′）を情報ドットとする。ｓ１２、ｓ１３、ｓ２１、ｓ２３、ｓ３１、ｓ３２、ｓ′１２、ｓ′１３、ｓ′２１、ｓ′２３、ｓ′３１及びｓ′３２を情報ドットとし、同様に、すべての情報ドットを４つの格子位置に配置することによって、４つのデータ、即ち２ビットの情報を記述することができる。ｓ１１、ｓ２２、ｓ３３、ｓ′１１、ｓ′２２及びｓ′３３を４５度基準ドットとする。
【００６７】  図１４の（２２−２）の（ａ）を普通のフォントとし、その特徴はｓ１１、ｓ２２及びｓ３３がすべて中心にあることである。図１４の（２２−２）の（ｂ）を終了フォントとする、その特徴はｓ００とｓ’３３をキードットをとする。この２つのドットの距離は非常に近いことで、高速に基準ドットの位置を見つけることができる。キードットｓ００とｓ’３３をドットパターンの方向情報を表すことができるだけではなく、更に全体のドットパターンのスタートと終了情報を表すことができる。
【００６８】  図１４の（２２−３）はＧＲＩＤというドットパターンのフォントの構成の方法である。
ＧＲＩＤドットパターンの情報記述の仕組みは４点の格子ドットで囲まれた中心を仮想基準点にして、これを始点として、方向ベクトルにより、表現した終点に情報ドットを配置して情報を定義する。本考案はこのようなドットパターンをフォント形式に構成することを提案する。その特徴は、このようなコードはベクトルデータの形式で構成するので、データからドット・マトリックスへ変換するスピードを高めさせ、更に可変情報を印刷するスピードを高めることもできて、メモリの使用などを減らすことも可能である。
【００６９】  図１４の（２２−３）に示すように、このフォントには、ｓ１１、ｓ１２、ｓ３１、ｓ３２を４つの格子ドットとし、情報ドットｓ２１はこの４つの格子ドットを囲まれた仮想基準点に対して、異なる距離、異なる方向、異なる位置によって、マルチビット情報を記録することができる。従って、格子ドットｓ１２、ｓ１３、ｓ３２、ｓ３３は情報ドットｓ２２に対応し、格子ドットｓ３１、ｓ３２、ｓ５１、ｓ５２は情報ドットｓ４１に対応し、格子ドットｓ３２、ｓ３３、ｓ５２、ｓ５３は情報ドットｓ４２に対応する。同上、情報ドットは四つの角に配置して、２ビット情報を記録することができる。
図１４の（２２−３）の（ａ）に示すフォントには四つの情報ドットがあるので、８ビット情報を記録することができる。このフォントをメインフォントとする。
【００７０】  図１４の（２２−３）の（ｂ）に示すように、このフォントの中で、格子ドットｓ６１、ｓ８１が左側のフォントの格子ドットと合わせて、４つの格子ドットを構成する。例えば右側のフォントの格子ドットｓ６１、ｓ８１が左側のフォントの格子ドットｓ１３、ｓ３３と合わせて、構成された４つの格子ドットに対して、情報ドットｓ７１はこの４つの格子ドットに囲まれた仮想の基準点を基準にして、異なる距離、異なる方向、異なる位置によって、マルチビット情報を記録することができる。
従って、格子ドットｓ６１、ｓ６２、ｓ８１、ｓ８２は情報ドットｓ７２に対応し、格子ドットｓ８１、ｓ１０１と左側のフォントの格子ドットｓ３３、ｓ５３は情報ドットｓ９１に対応し、格子ドットｓ８１、ｓ８２、ｓ１０１、ｓ１０２は情報ドットｓ９２に対応する。同上、情報ドットは四つの角に配置し、２ビット情報を記録することができる。同様に、図１４の（２２−３）の（ｂ）に示すフォントには四つの情報ドットがあり、８ビット情報を記述することができる。図１４の（２２−３）の（ｂ）に示すフォントは右上方向に拡大するフォントと称する。つまり、コードの情報を記述する容量を高めるため、限界なく、右上方向に広げることができる。
【００７１】  図１４の（２２−３）の（ｃ）に示すように、このフォントの中で、ｓ１２１、ｓ１２２と上のフォントの格子ドットｓ５１、ｓ５２は、情報ドットｓ１１１に対応し、格子ドットｓ１２２、ｓ１２３と上のフォントの格子ドットｓ５２、ｓ５３は情報ドットｓ１１２に対応し、格子ドットｓ１２１、ｓ１２２、ｓ１４１、ｓ１４２は情報ドットｓ１３１に対応し、格子ドットｓ１２２、ｓ１２３、ｓ１４２、ｓ１４３は情報ドットｓ１３２に対応する。
図１４の（２２−３）の（ｃ）に示すフォントは左下方向に拡大するフォントと称する。つまり、コードの情報を記録する容量を高めるため、制限なく、左下に広げることができる。
【００７２】  図１４の（２２−３）の（ｄ）に示すように、このフォントの中で、ｓ１６１、左下のフォント（ｃ）の格子ドットｓ１２３と、左上のフォントの格子ドットｓ５３と、右上のフォントの格子ドットｓ１０１と合わせて、構成された４つの格子ドットは、情報ドットｓ１５１に対応し、格子ドットｓ１６１、ｓ１６２と右上のフォントの格子ドットｓ１０１、ｓ１０２は情報ドットｓ１５２に対応し、格子ドットｓ１６１、ｓ１８１と左下のフォントの格子ドットｓ１２３、ｓ１４３は情報ドットｓ１７１に対応し、格子ドットｓ１６１、ｓ１６２、ｓ１８１、ｓ１８２は情報ドットｓ１７２に対応する。
図１４の（２２−３）の（ｄ）に示すフォントは右下方向に拡大するフォントと称する。つまり、コードの情報を記録する容量を高めるため、制限なく、右下に広げることができる。
【００７３】  上記はただドットパターンをフォント形式によってベクトル化の画像データに変換する例だけを説明した。上記の方法を参考して、更に様々なフォント形質を構成することがあるが、ドットパターンをフォント形式によってベクトル化の画像データに変換するすべて手法に対して、すべて本考案範囲以内に属する。
【００７４】  図１５は３＊３個フォントで構成した可変長ドットパターンの例である。図１５に示すように、（２３００は）３＊３個のフォントを用いて、構成した９＊９ドットの可変長ドットパターンを表す、（２３０１）は可変長ドットパターンの開始フォントのキードットを表す、（２３０２）可変長ドットパターンの終了フォントのキードットを表す。こりによってｎ＊ｎ個ドットの可変長ドットパターンを構成することができる。
【００７５】  図１６はもう一種類３＊３個フォントで構成した可変長ドットパターンの例である。図１６に示すように、（２４００）は一つの３＊３個のフォントで構成した９＊９ドットの可変長ドットパターンを表し、（２４０１）は可変長ドットパターンの開始フォントのキードットを表し、（２４０２）可変長ドットパターンの終了フォントのキードットを表す。従って、ｎ＊ｎ個ドットの可変長のドッパターンを構成することができる。
【００７６】  図１７は２＊２個フォントで構成した可変長ドットパターンの例である。図１７に示すように、（２５００）は一つの２＊２個のフォントで構成した可変長ドットパターンを表し、（２５０１）は可変長ドットパターンの開始フォントのキードットを表し、（２５０２）可変長ドットパターンの終了フォントのキードットを表す。同様に従って、ｎ＊ｎ個ドットのドットパターンを構成することができる。
【００７７】  上述図２２−２５に示したドットパターンが幾何学的な異なる位置、或は物理学的な位相変調の結果によってマルチビットを記述することに属する。
また、キードットは、位置すれたり、複数なドットを表れたりすることによって、コードの方向や、コードの構造などを高速で特定することができる手法に対して、すべて本考案に属する。
基準ドットに基づいて、異なる位置によってマルチビット情報を記述できるドットパターンに対して、文字フォントを用いて、ベクドル化を行うすべての手法が本考案に属する。
【００７８】  図１８は大容量ドットパターンの情報記述の例である。
図１８に示すように、（２７００）を、マルチビット情報を記録することができる２＊２ピクセルとし、（２７０１）を情報ドットとする。ここで、情報ドットが２＊２ピクセル（ａ）に配置された状態を情報″０″とし、情報ドットを２＊２ピクセル（ｂ）に配置された状態を情報″１″とし、情報ドットを２＊２ピクセル（ｃ）に配置された状態を情報″２″とし、情報ドットを２＊２ピクセル（ｄ）に配置された状態を情報″３″とする。
【００７９】  ここで、１つのシンボルの必要な領域をピクセルとする、図１８に示すように、四つのピクセルを用いて、２ビットの情報を記録することができる。普通の二次元コードに比べると、情報を記録する容量が半分になるが、情報ドットの必要な領域が普通の二次元コードの１／４だけである。すなわち３／４の領域が埋め込む対象画像に使用されることが可能であり、また、全体的に、階調を均一化になるし、情報埋込コードのコード構造として応用できる。
【００８０】  図１９は大容量ドットパターンの示す図である。
図１９に示すように、（２８００）を一つの９＊９ドットによって構成されたドットパターンとし、（２８０１）を情報ドットとし、（２８０２）を基準ドットとし、（２８０３）をキードットとする。キードットの役割は、それぞれドットパターンの方向、ドットパターンの開始と終了位置を表し、高速に基準ドットを特定することである。
【００８１】  図１９に示したドットパターンを９＊９個ドットによって構成し、その８１個ドットの中で、４５度仮想基準線を構成するために、９個基準ドットの必要があり、残り７２個情報ドットがある。一つの情報ドットごとに２ビットの情報を記述することができるので、７２個情報ドットを用いて１４４ビットの情報を記述することができる。普通の二次元コードの２８８ビットの情報を記録する容量に比べて、半分しかないが、情報ドットが必要なマイクロセルの数が普通の二次元コードの１／４だけである。３／４の領域が埋め込む対象画像に使用されることが可能である。
【００８２】  以上携帯電話を導入したマルチメディア手帳、はがき、写真及びシールの商品構成の考案を記載した、しかし、携帯電話を導入したマルチメディアの構成はマルチメディア手帳、はがき、写真及びシールだけではなく、マイクロレンズのユニットを携帯電話カメラレンズに付加して、商品のカタログに置くと、インタネットを介入して詳細な商品の説明を再生することができる、また、語学教材、ことも絵本などの印刷マルチメディアを構成することも考案できる。
【図１】
0003184862.tif 000003
【図２】
0003184862.tif 000004
【図３】
0003184862.tif 000005
【図４】
0003184862.tif 000006
【図５】
0003184862.tif 000007
【図６】
0003184862.tif 000008
【図７】
0003184862.tif 000009
【図８】
0003184862.tif 000010
【図９】
0003184862.tif 000011
【図１０】
0003184862.tif 000012
【図１１】
0003184862.tif 000013
【図１２】
0003184862.tif 000014
【図１３】
0003184862.tif 000015
【図１４】
0003184862.tif 000016
【図１５】
0003184862.tif 000017
【図１６】
0003184862.tif 000018
【図１７】
0003184862.tif 000019
【図１８】
0003184862.tif 000020
【図１９】
0003184862.tif 000021
【手続補正書】
【提出日】平成25年4月19日(2013.4.19)
【手続補正１】
【補正対象書類名】実用新案登録請求の範囲
【補正対象項目名】全文
【補正方法】変更
【補正の内容】
【実用新案登録請求の範囲】
【請求項１】
携帯電話を導入したマルチメディア手帳のセットであって、
携帯電話のカメラを、マクロレンズユニットに装着し、
マクロレンズが、手帳における該当ページのある領域に印刷したドットパターンに向いている側に対し、マクロレンズユニットの支柱、若しくは鏡筒が、手帳におけるドットパターンを有する該当ページに接触することを特徴とする携帯電話を導入したマルチメディア手帳のセット。
【請求項２】
携帯電話を導入したマルチメディアはがきのセットであって、
携帯電話のカメラを、マクロレンズユニットに装着し、
マクロレンズが、はがきの上に印刷したドットパターンに向いている側に対し、マクロレンズユニットの支柱、若しくは鏡筒が、ドットパターンを有するはがきに接触することを特徴とする携帯電話を導入したマルチメディアはがきのセット。
【請求項３】
携帯電話を導入したマルチメディア写真のセットであって、
携帯電話のカメラを、マクロレンズユニットに装着し、
マクロレンズが、写真の上に印刷したドットパターンに向いている側に対し、マクロレンズユニットの支柱、若しくは鏡筒が、ドットパターンを有する写真に接触することを特徴とする携帯電話を導入したマルチメディア写真のセット。
【請求項４】
携帯電話を導入したマルチメディアシールのセットであって、
携帯電話のカメラを、マクロレンズユニットに装着し、
マクロレンズが、シールの上に印刷したドットパターンに向いている側に対し、マクロレンズユニットの支柱、若しくは鏡筒が、ドットパターンを有するシールに接触することを特徴とする携帯電話を導入したマルチメディアシールのセット。
【請求項５】
前記マクロレンズユニットであつて、
マクロレンズユニットの支柱、若しくは鏡筒の長さは、携帯電話がマクロレンズを介入した焦点距離に一致することを特徴とする請求項１に記載の携帯電話を導入したマルチメディア手帳のセット、請求項２に記載の携帯電話を導入したマルチメディアはがきのセット、請求項３に記載の携帯電話を導入したマルチメディア写真のセット、若しくは請求項４に記載の携帯電話を導入したマルチメディアシールのセット。
【請求項６】
前記携帯電話であって、
イメージセンサを搭載した音声ペン、ＩＣレコーダーを含めて、異種類の端末に入れ替われることを可能とすることを特徴とする請求項１に記載の携帯電話を導入したマルチメディア手帳のセット、請求項２に記載の携帯電話を導入したマルチメディアはがきのセット、請求項３に記載の携帯電話を導入したマルチメディア写真のセット、若しくは請求項４に記載の携帯電話を導入したマルチメディアシールのセット。
【手続補正２】
【補正対象書類名】明細書
【補正対象項目名】００１１
【補正方法】変更
【補正の内容】
【００１１】  上記従来例の問題点を解決するために、請求項１に係る本考案の内容は、
携帯電話を導入したマルチメディア手帳のセットであって、
携帯電話のカメラを、マクロレンズユニットに装着し、
マクロレンズが、手帳における該当ページのある領域に印刷したドットパターンに向いている側に対し、マクロレンズユニットの支柱、若しくは鏡筒が、手帳におけるドットパターンを有する該当ページに接触することを特徴とする携帯電話を導入したマルチメディア手帳のセットである。
【手続補正３】
【補正対象書類名】明細書
【補正対象項目名】００１２
【補正方法】変更
【補正の内容】
【００１２】  請求項２に係る本考案の内容は、
携帯電話を導入したマルチメディアはがきのセットであって、
携帯電話のカメラを、マクロレンズユニットに装着し、
マクロレンズが、はがきの上に印刷したドットパターンに向いている側に対し、マクロレンズユニットの支柱、若しくは鏡筒が、ドットパターンを有するはがきに接触することを特徴とする携帯電話を導入したマルチメディアはがきのセットである。
【手続補正４】
【補正対象書類名】明細書
【補正対象項目名】００１３
【補正方法】変更
【補正の内容】
【００１３】請求項３に係る本考案の内容は、
携帯電話を導入したマルチメディア写真のセットであって、
携帯電話のカメラを、マクロレンズユニットに装着し、
マクロレンズが、写真の上に印刷したドットパターンに向いている側に対し、マクロレンズユニットの支柱、若しくは鏡筒が、ドットパターンを有する写真に接触することを特徴とする携帯電話を導入したマルチメディア写真のセットである。
【手続補正５】
【補正対象書類名】明細書
【補正対象項目名】００１４
【補正方法】変更
【補正の内容】
【００１４】請求項４に係る本考案の内容は、
携帯電話を導入したマルチメディアシールのセットであって、
携帯電話のカメラを、マクロレンズユニットに装着し、
マクロレンズが、シールの上に印刷したドットパターンに向いている側に対し、マクロレンズユニットの支柱、若しくは鏡筒が、ドットパターンを有するシールに接触することを特徴とする携帯電話を導入したマルチメディアシールのセットである。
【手続補正６】
【補正対象書類名】明細書
【補正対象項目名】００１５
【補正方法】変更
【補正の内容】
【００１５】  請求項５に係る本考案の内容は、
前記マクロレンズユニットであつて、
マクロレンズユニットの支柱、若しくは鏡筒の長さは、携帯電話がマクロレンズを介入した焦点距離に一致することを特徴とする請求項１に記載の携帯電話を導入したマルチメディア手帳のセットであり、請求項２に記載の携帯電話を導入したマルチメディアはがきのセットであり、請求項３に記載の携帯電話を導入したマルチメディア写真のセットであり、若しくは請求項４に記載の携帯電話を導入したマルチメディアシールのセットである。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１６】
前記携帯電話であって、
イメージセンサを搭載した音声ペン、ＩＣレコーダーを含めて、異種類の端末に入れ替われることを可能とすることを特徴とする請求項１に記載の携帯電話を導入したマルチメディア手帳のセットであり、請求項２に記載の携帯電話を導入したマルチメディアはがきのセットであり、請求項３に記載の携帯電話を導入したマルチメディア写真のセットであり、若しくは請求項４に記載の携帯電話を導入したマルチメディアシールのセットである。
【考案の効果】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】変更
【補正の内容】
【００１７】  本考案は、携帯電話を導入したマルチメディア手帳の構成を用いて、マクロレンズを搭載した携帯電話で、該当された手帳の頁に置くと、該当されたドットパターンのコード値を打ち合わせ現場の音声情報の録音や画像情報の録画と紐付けることが可能である。このような構成によると、何時でも、どこでも、マクロレンズを搭載した携帯電話を用いて、その時の手帳の頁にタッチすると、打ち合わせ内容を再生することができる。
【手続補正１４】
【補正対象書類名】明細書
【補正対象項目名】００２３
【補正方法】変更
【補正の内容】
【００１８】    本考案は、携帯電話を導入したマルチメディアはがきの構成を用いて、マクロレンズを搭載した携帯電話で、はがきに置くと、相手に伝えたい音声情報や画像情報をサーバーに登録し、はがき上のドットパターンのコード値と紐付けることが可能である。このようなはがきを相手に送ると、相手はいつでも、どこでも、マクロレンズを搭載した携帯電話を用いて、届いたはがきにタッチすると、サーバーに登録した音声情報や画像情報を再生することができる。
【手続補正１５】
【補正対象書類名】明細書
【補正対象項目名】００２４
【補正方法】変更
【補正の内容】
【００１９】  本考案は、携帯電話を導入したマルチメディア写真の構成を用いて、マクロレンズを搭載した携帯電話で、写真に置くと、写真から再生したい音声情報や画像情報をサーバーに登録し、写真上のドットパターンのコード値と紐付けることが可能である、このような写真を構成すると、何時でも、どこでも、マクロレンズを搭載した携帯電話を用いて、写真にタッチすると、サーバーに登録された音声情報や画像情報を再生することができる。
【手続補正１６】
【補正対象書類名】明細書
【補正対象項目名】００２５
【補正方法】変更
【補正の内容】
【００２０】
本考案は、携帯電話を導入したマルチメディアシールの構成を用いて、マクロレンズを搭載した携帯電話で、シールに置くと、商品に関する偽造情報や追跡情報などに関連される音声情報や画像情報をサーバーに登録し、シール上のドットパターンのコード値と紐付けることが可能である。このようなシールを構成すると、何時でも、どこでも、マクロレンズを搭載した携帯電話を用いて、シールにタッチすると、サーバーに登録された音声情報や画像情報を再生することができる。
【図面の簡単な説明】
【手続補正１７】
【補正対象書類名】明細書
【補正対象項目名】００２６
【補正方法】変更
【補正の内容】
【００２１】
【図１】携帯電話を導入したマルチメディア手帳の構成例を示す図；
【図２】携帯電話を導入したマルチメディアはがきの構成例を示す図；
【図３】携帯電話を導入したマルチメディア写真の構成例を示す図；
【図４】携帯電話を導入したマルチメディアシールの構成例を示す図；
【図５】マクロレンズユニットの例を示す図；
【図６】異なる方向によってマルチビット情報の記述を示す図；
【図７】異なる形によってマルチビット情報の記録を示す図；
【図８】集中ドットと分散ドットによって情報の記述を示す図；
【図９】異なる位置及び位相変調によってマルチビット情報の記述を示す図；
【図１０】４５度仮想基準線のドットパターンを示す図；
【図１１】物理学形態の位相変調（ＰＭ）によって情報記述を示す図；
【図１２】印刷面積を最大化とするドットパターンの実現方法を示す図；
【図１３】印刷面積を最大化とするドットパターンの応用例を示す図；
【図１４】複数なフォントによりドットパターンの構成方法三例；
【図１５】３＊３個フォントで構成した可変長ドットパターンの例；
【図１６】もう一種類３＊３個フォントで構成した可変長ドットパターンの例；
【図１７】２＊２個フォントで構成した可変長ドットパターンの例；
【図１８】大容量ドットパターンの情報記述例；
【図１９】大容量ドットパターンを示す図；
【考案を実施するための形態】
【手続補正１８】
【補正対象書類名】明細書
【補正対象項目名】００２７
【補正方法】変更
【補正の内容】
【００２２】
本考案の実施の形態について図面を参照しながら説明する。ただし本考案が述べた実施例は説明の為であり、限定的ではない。
【実施例】
【手続補正１９】
【補正対象書類名】明細書
【補正対象項目名】００２８
【補正方法】変更
【補正の内容】
【００２３】  図１は携帯電話を導入したマルチメディア手帳の構成例の示す図である。図１に示すように、本考案の実施の形態に係る携帯電話を導入したマルチメディア手帳の構成は、（１０１）を携帯電話とし、（１０２）を携帯電話カメラのレンズに密着されたマクロレンズとし、（１０３）を、携帯電話がマクロレンズを介入した焦点の距離と合わせ、携帯電話と手帳の間で、構成する固定焦点の支柱とし、（１０４）を手帳のある領域に印刷したドットパターンとし、（１０５）を手帳のあるページとする。
【手続補正２０】
【補正対象書類名】明細書
【補正対象項目名】００２９
【補正方法】変更
【補正の内容】
【００２４】  携帯電話を導入したマルチメディア手帳の構成の接続関係は、マクロレンズを携帯電話カメラレンズに装着し、マクロレンズが、固定焦点用の支柱と一体化されている。支柱をドットパターンに印刷されている印刷媒体と接触している、印刷媒体を手帳のあるページとする。
【手続補正２１】
【補正対象書類名】明細書
【補正対象項目名】００３０
【補正方法】変更
【補正の内容】
【００２５】  携帯電話を導入したマルチメディア手帳の構成の使用例は、まず、手帳の各々ページの幾つかの個所に異なるコード値のドットパターンを印刷しておく。手帳の各ページ、若しくは手帳の各々ページの幾つかの個所に、異なる情報を異なる案件としてコード値を与えることが適当と思われる。
【手続補正２２】
【補正対象書類名】明細書
【補正対象項目名】００３１
【補正方法】変更
【補正の内容】
【００２６】会議を案件とした場合、会議を始める時に、携帯電話のアプリを立ち上げてから、マクロレンズユニットを携帯電話カメラレンズに装着し、該当する日にちのページのコード値のある個所に置くと、携帯電話によって、会議の内容に関する音声或は動画を記録することができる。携帯電話のアプリが、自動的に記録された音声或は動画を、該当されている日にちの手帳ページのある個所に印刷されたドットパターンのコード値と紐付けることができるので、もし、この会議の内容を調べたい場合には、ただ、携帯電話のアプリを立ち上げてから、マクロレンズユニットを携帯電話カメラレンズに装着し、該当されている日にちの手帳ページのある個所に置くと、会議の内容に関する音声或は動画を再生することができる。
【手続補正２３】
【補正対象書類名】明細書
【補正対象項目名】００３２
【補正方法】変更
【補正の内容】
【００２７】  専用読取器を使用する手帳にとって、携帯電話は、イメージセンサーを搭載した音声ペン、ＩＣレコーダーを含めて、異種類端末に入れ替われることが考えられる。
ここで、イメージセンサーを搭載した音声ペンは、録音機能付音声ペンとする。
録音する場合に、音声ペンのイメージセンサーが、ドットパターンを読取ってから、録音する。録音された音声情報をメモリに登録し、ドットパターンのコード値と紐付ける。
再生する時に、該当する手帳の個所にタッチすると、音声ペンのイメージセンサーが、ドットパターンを読取ってから、メモリから該当されている音声情報を呼び出し、再生することができる。
【手続補正２４】
【補正対象書類名】明細書
【補正対象項目名】００３３
【補正方法】変更
【補正の内容】
【００２８】  また、イメージセンサーを搭載したＩＣレコーダーは、録音機能付いたＩＣレコーダーとする。
録音する場合に、ＩＣレコーダーのイメージセンサーが、ドットパターンを読取ってから、録音する。録音された音声情報をメモリに登録し、ドットパターンのコード値と紐付ける。
再生する時に、該当された手帳の個所にタッチすると、ＩＣレコーダーのイメージセンサーが、ドットパターンを読取ってから、メモリから該当音声情報を呼びだし、再生することができる。
【手続補正２５】
【補正対象書類名】明細書
【補正対象項目名】００３４
【補正方法】変更
【補正の内容】
【００２９】  図２は携帯電話を導入したマルチメディアはがきの例の示す図である。図２に示すように、本考案の実施の形態に係る携帯電話を導入したマルチメディアはがきの構成は、（２０１）を携帯電話とし、（２０２）を携帯電話カメラのレンズに密着されたマクロレンズとし、（２０３）を、携帯電話がマクロレンズを介入した焦点の距離と合わせて、携帯電話とはがきの間で、構成する固定焦点の支柱とし、（２０４）をはがきの上に印刷したドットパターンとし、（２０５）をはがきとする。
【手続補正２６】
【補正対象書類名】明細書
【補正対象項目名】００３５
【補正方法】変更
【補正の内容】
【００３０】  携帯電話を導入したマルチメディアはがきの構成の使用例は、まず、各々はがきの上に異なるコード値のドットパターンを印刷しておく。この手順は、年賀状のお年玉の番号を印刷する時に、行うこともでき、個別のプリンターでドットパターンを印刷することも可能である。
【手続補正２７】
【補正対象書類名】明細書
【補正対象項目名】００３６
【補正方法】変更
【補正の内容】
【００３１】  マルチメディア情報の登録は、携帯電話のアプリを立ち上げてから、マクロレンズユニットを携帯電話カメラレンズに接続し、相手に送りたいはがきの上に置くと、携帯電話によって、友たちに伝えたいメッセージに関する音声或は動画をネットサーバーに送ることができる。また、携帯電話のアプリが、自動的にサーバーに記録された音声或は動画を、はがきの上に印刷されたドットパターンのコード値と紐付けることができる。
このようなはがきを友たちに届けると、友たちが、自分の携帯電話を用いて、携帯電話のアプリを立ち上がってから、マクロレンズユニットを携帯電話カメラレンズに接続し、届けたはがきの上に置くと、サーバーから登録された音声或は動画を再生することができる。
【手続補正２８】
【補正対象書類名】明細書
【補正対象項目名】００３７
【補正方法】変更
【補正の内容】
【００３２】  図３は携帯電話を導入したマルチメディア写真の例の示す図である。図３に示すように、本考案の実施の形態に係る携帯電話を導入したマルチメディア写真の構成は、（３０１）を携帯電話とし、（３０２）を携帯電話カメラのレンズに密着されたマクロレンズとし、（３０３）を、携帯電話がマクロレンズを介入した焦点の距離と合わして、携帯電話と写真の間で、構成される固定焦点の支柱とし、（３０４）を写真の上に印刷したドットパターンとし、（３０５）を写真とする。
【手続補正２９】
【補正対象書類名】明細書
【補正対象項目名】００３８
【補正方法】変更
【補正の内容】
【００３３】  携帯電話を導入したマルチメディア写真の構成の使用例は、まず、各々写真を印刷する時に、異なるコード値のドットパターンと写真画像とを一緒に印刷する。写真の品質を追求する場合は、写真の局所に読取りマークを作って、ドットパターンを印刷することが適当である。
【手続補正３０】
【補正対象書類名】明細書
【補正対象項目名】００３９
【補正方法】変更
【補正の内容】
【００３４】  マルチメディア情報の登録は、携帯電話のアプリを立ち上がってから、マクロレンズユニットを携帯電話カメラレンズに接続し、この写真に関する音声或は動画をネットサーバーに送ることができる。また、携帯電話のアプリが、自動的にサーバーに登録された音声或は動画を、写真の上に印刷されたドットパターンのコード値と紐付けることができる。
【手続補正３１】
【補正対象書類名】明細書
【補正対象項目名】００４０
【補正方法】変更
【補正の内容】
【００３５】  結婚写真の場合に、パソコンで、結婚式のビデオを結婚記念写真とリンクしてから、自分の携帯電話を用いて、携帯電話のアプリを立ち上がってから、マクロレンズユニットを携帯電話カメラレンズに接続し、各々結婚写真の上の読取りマークに置くと、各々写真に該当された音声や動画などを、サーバーから自動的にタウンロートし、携帯電話の画面に再生することができる。
【手続補正３２】
【補正対象書類名】明細書
【補正対象項目名】００４１
【補正方法】変更
【補正の内容】
【００３６】  図４は携帯電話を導入したマルチメディアシールの例の示す図である。図４に示すように、本考案の実施の形態に係る携帯電話を導入したマルチメディアシールの構成は、（４０１）を携帯電話とし、（４０２）を携帯電話カメラのレンズに密着されたマクロレンズとし、（４０３）を、携帯電話がマクロレンズを介入した焦点の距離と合わせて、携帯電話とシールの間で、構成される固定焦点の支柱とし、（４０４）をシールの上に印刷したドットパターンとし、（４０５）をシールとする。
【手続補正３３】
【補正対象書類名】明細書
【補正対象項目名】００４２
【補正方法】変更
【補正の内容】
【００３７】  携帯電話を導入したマルチメディアシールの構成の使用例は、まず、各々シールを印刷する時に、異なるコード値のドットパターンとシール画像とを一緒に印刷する。商品の１ロードとして一つのドットパターンのコードの場合に、普通の印刷機で１版として一つのコードとシール画像とを印刷することも良い。
【手続補正３４】
【補正対象書類名】明細書
【補正対象項目名】００４３
【補正方法】変更
【補正の内容】
【００３８】  マルチメディア情報の登録は、シールの偽造防止情報、販売地域情報、産地情報、や商品に関連する音声、動画などをパソコンでサーバーに登録し、自動的にサーバーに登録されたシールの偽造防止情報、販売地域情報、産地情報、や商品関連する音声或は動画を、各々シールの上に印刷されたドットパターンのコード値と紐付けることができる。
【手続補正３５】
【補正対象書類名】明細書
【補正対象項目名】００４４
【補正方法】変更
【補正の内容】
【００３９】  このような商品シールに対して、消費者が、商品を買う時に、自分の携帯電話を用いて、携帯電話のアプリを立ち上げてから、マクロレンズユニットを携帯電話カメラレンズに接続し、買いたい商品のシールの上に置くと、サーバーから登録されたシールの偽造防止情報、販売地域情報、産地情報、や商品に関連する音声、動画などを、携帯電話の表示部分に再生することができる。
【手続補正３６】
【補正対象書類名】明細書
【補正対象項目名】００４５
【補正方法】変更
【補正の内容】
【００４０】  前記、マルチメディアはがき、写真やシール等に対して、マルチメディア手帳と同様に、携帯電話は、イメージセンサーを搭載した音声ペンやＩＣレコーダーなど専用読取り機に代替することができる。
【手続補正３７】
【補正対象書類名】明細書
【補正対象項目名】００４６
【補正方法】変更
【補正の内容】
【００４１】    図５はマクロレンズユニットの例の示す図である。図５の（ａ）を支柱方式のマクロレンズユニットとし、図５の（ｂ）を鏡筒方式のマクロレンズユニットとする。図５の（ａ）に示すように、（５０１）を支柱方式のマクロレンズユニットとし、（５０２）をマクロレンズとし、（５０３）を支柱とする。ここで、支柱の高さを携帯電話のカメラレンズに介入したマクロレンズの焦点距離と一致している。
【手続補正３８】
【補正対象書類名】明細書
【補正対象項目名】００４７
【補正方法】変更
【補正の内容】
【００４２】    図５の（ｂ）に示すように、（５０１’）を鏡筒方式のマクロレンズユニットとし、（５０２’）をマクロレンズとし、（５０３’）を鏡筒とする。ここで、鏡筒の高さを携帯電話のカメラレンズに介入したマクロレンズの焦点距離と一致している。
【手続補正３９】
【補正対象書類名】明細書
【補正対象項目名】００４８
【補正方法】変更
【補正の内容】
【００４３】  図６は異なる方向によってマルチビット情報の記述の示す図である。
図６に示すように、（６０１）を一つのドットパターンとし、（６０２）および（６０３）を情報ドットとする。情報ドット（６０２）と（６０３）の異なる方向によってマルチビット情報を記述することができる。
【手続補正４０】
【補正対象書類名】明細書
【補正対象項目名】００４９
【補正方法】変更
【補正の内容】
【００４４】  図６の中で、図（ａ）のドットバターンを情報“０”とし、図（ｂ）のドットバターンを情報“１”とし、図（ｃ）のドットバターンを情報“２”とし、図（ｄ）のドットバターンを情報“３”とする。ドットパターンのａ、ｂ，ｃ，ｄは、明らかに異なる方向、異なる電磁波の伝播方向と異なる力学のベクトルの結果によってマルチビット情報の記述を実現することを考える。
【手続補正４１】
【補正対象書類名】明細書
【補正対象項目名】００５０
【補正方法】変更
【補正の内容】
【００４５】  図７は異なる形によってマルチビット情報の記録の示す図である。
図７の中で、図形（ａ）のドットバターンを情報“０”とし、図（ｂ）のドットバターンを情報“１”とし、図（ｃ）のドットバターンを情報“２”とし、図（ｄ）のドットバターンを情報“３”とする。
【手続補正４２】
【補正対象書類名】明細書
【補正対象項目名】００５１
【補正方法】変更
【補正の内容】
【００４６】  図８は集中ドットパターンと分散ドットパターンによって情報の記述の示す図である。
図８が示すように、１つのドットパターンの中で、構成したドットパターンを１つのドットとする集中ドットパターンａと、少なくともドットパターンを複数ドットとする分散ドットパターンｂを用いて、情報を記述することできる。集中ドットパターンａを情報ビット値“１”とし、分散ドットパターンｂを“０”とする。相反して、集中ドットパターンａを情報ビット値“０”とし、分散ドットパターンｂを“１”とすることもできる。
【手続補正４３】
【補正対象書類名】明細書
【補正対象項目名】００５２
【補正方法】変更
【補正の内容】
【００４７】  それに、集中ドットパターンａを低周波数ドットパターンと、分散ドットパターンｂを高周波数ドットパターンとすることができるため、集中ドットパターンａと分散ドットパターンｂは異なる周波数の成分によって情報を記録することも言える、或は集中ドットパターンａと分散ドットパターンｂは異なるドットパターンのドットの数によって情報を記述することも言える。
【手続補正４４】
【補正対象書類名】明細書
【補正対象項目名】００５３
【補正方法】変更
【補正の内容】
【００４８】  さらに、集中ドットパターンａのドットの階調値は高い、また、分散ドットパターンｂの一つのドットの階調値は低いので、集中ドットパターンａと分散ドットパターンｂは一つの点の異なる階調値によって情報を記述するとも言える。
【手続補正４５】
【補正対象書類名】明細書
【補正対象項目名】００５４
【補正方法】変更
【補正の内容】
【００４９】  換言すれば、集中ドットパターンａのドットのサイズが大きい、分散ドットパターンｂの一つのドットのサイズが小さいので、集中ドットパターンａおよび分散ドットパターンｂは大きさの異なるドットによって情報を記録するとも言える。
【手続補正４６】
【補正対象書類名】明細書
【補正対象項目名】００５５
【補正方法】変更
【補正の内容】
【００５０】  以上の内容に関して、更に多くの言い方があるが、もし以上のドット・パターンの形式と同様にならば、すべて本考案の範囲に属する。
【手続補正４７】
【補正対象書類名】明細書
【補正対象項目名】００５６
【補正方法】変更
【補正の内容】
【００５１】    図９は異なる位置及び位相変調によってマルチビット情報の記述の示す図である。図９に示すように：図（ａ）のドットパターンを情報の“０”とし、図（ｂ）のドットパターンを情報の“１”とし、図（ｃ）のドットパターンを情報の“２”とし、そして図（ｄ）のドットパターンを情報の“３”とすることができる。図（ｅ）と図（ｆ）を、ドットパターンの基準ドットと方向キードットとすることができる。
【手続補正４８】
【補正対象書類名】明細書
【補正対象項目名】００５７
【補正方法】変更
【補正の内容】
【００５２】図９に示した異なる位置及び位相変調によってマルチビット情報を記述することができるドットパターンは３＊３個小さいピクセルの矩形の領域に区分されて配置している。また５＊５個小さいピクセル、或は７＊７個小さいピクセルの配置を設置することもできる。そして、更に必要に応じて、もっと多くの小さいピクセルの矩形の領域を設置することができる。
【手続補正４９】
【補正対象書類名】明細書
【補正対象項目名】００５８
【補正方法】変更
【補正の内容】
【００５３】  異なる位置及び位相変調によってマルチビット情報を記述するのは、幾何学の理論によって必ず１つの座標系を導入しなければならない、つまり孤立している情報ドットの異なる位置を幾何学形態の空間の中で求めることができない。普通二次元コードは、ドット・マトリックスの中で、必ず水平基準ドットによって構成された１つの仮想水平基準線、及び垂直基準ドットによって構成された１つの仮想垂直基準線を設置される。
【手続補正５０】
【補正対象書類名】明細書
【補正対象項目名】００５９
【補正方法】変更
【補正の内容】
【００５４】    本考案は、できるだけ基準ドットの数を減らすため、また幾何学の線形変換理論によって、ドット・マトリックスの４５度の角で、少ない基準ドットによって構成するただ１つの４５度仮想基準線を提案する。
【手続補正５１】
【補正対象書類名】明細書
【補正対象項目名】００６０
【補正方法】変更
【補正の内容】
【００５５】  図１０は４５度仮想基準線のドットパターンの示す図である。
図１０に示すように、１つの情報ドットの４つの異なる位置が２ビットの情報を記述する原理によって、１つの４＊４ドット・マトリックスのドットパターンを構成することができる。図１０には、Ｓ１１、Ｓ２２、Ｓ３３とＳ４４は４５度仮想基準線に配置している基準ドットの配置であり、Ｓ００はドットパターンの方向を表すキードットであり、Ｓ１２、Ｓ１３、Ｓ１４、Ｓ２１、Ｓ２３、Ｓ２４、Ｓ３１、Ｓ３２、Ｓ３４、Ｓ４１、Ｓ４２とＳ４３は情報ドット・マトリックスである、最高２４ビットの情報の記録ができる。
従来、水平と垂直に２つの仮想基準線を設置されたドットパターンと比べると、６ビットの情報が増えた。そして、図１０に示したドットパターンの仮想基準線が４５度に設置したため、印刷機の水平と垂直方向上の印刷の位置誤差は依然として４５度の仮想基準線に配置された基準ドットに反映することができる、依然として誤差の修正を行うことができる。そして、２次元空間上の一つのドットの位置移動は、必ず任意な二つの基準ドットとの線性関係がある理論によって、一本の仮想基準線を省略しても情報ドット・マトリックスの位置の識別精度に影響しない。
【手続補正５２】
【補正対象書類名】明細書
【補正対象項目名】００６１
【補正方法】変更
【補正の内容】
【００５６】  図１１は物理学形態の位相変調（ＰＭ）によって情報記述の示す図である。
図１１に示すように、図９の１つのドットパターン（１１０１）は、情報ドット（１１０２）の異なる物理学形態の位相変調（ＰＭ）の信号伝搬によって、構成したａ、ｂ、ｃとｄ、４種類の異なる位相変調の結果の例である。
【手続補正５３】
【補正対象書類名】明細書
【補正対象項目名】００６２
【補正方法】変更
【補正の内容】
【００５７】  図１２は印刷面積を最大化とするドットパターンの実現方法の示す図である。
図９と図１０に示したドットパターンの構成は、印刷面積を最小化になっている、即ちドットパターンの実際な階調値が最小化になった印刷画像である。もし図９と図１０のドットパターンの画像を白黒反転すると、図１２に示すように、もう一つの印刷面積を最大化とするドットパターンを構成することができる。図１２では、（１２０１）を印刷しないドットとし、（１２０２）を印刷するドットとする。印刷するドットの集合は印刷面積を構成する。
【手続補正５４】
【補正対象書類名】明細書
【補正対象項目名】００６３
【補正方法】変更
【補正の内容】
【００５８】  図１３は印刷面積を最大化とするドットパターンの応用例を示す図である。
図１３に示すように、印刷面積を最大化にするコードの組み合わせに、ドットパターンが構成できる。ここで、上述の印刷面積のところに対して、各種の標識と図案を印刷することができる、このような構成によって、携帯電話を用いて、情報埋込コードにより埋め込んだ画像を読取ることができる。
図１３では、（１３０１）を情報ドットとし、（１３０２）と（１３０３）を基準ドットとする。図１３のドットパターンの白いドットを保留し、黒い部分を商標、画像或は図形などの図案を表す。
さらに綺麗な商標、画像或は図形等を表示させるため、白いドットの部分の階調値を、商標、画像或は図形などの画像の該当画素の最小階調値より小さくする階調値とする。
【手続補正５５】
【補正対象書類名】明細書
【補正対象項目名】００６４
【補正方法】変更
【補正の内容】
【００５９】  図１４は複数フォントによりドットパターン構成方法の三例である。
図１４（２２−１）には、フォントにより水平と垂直の基準ドットがあるドットパターンの構成方法である。
図１４の（２２−１）に示すように、（２２００）を一つの水平と垂直の仮想基準線があるドットパターンのフォントとし、（２２０１）を１つの３＊３セルとし、（２２０２）を情報ドットとする。ｓ１１、ｓ１２、ｓ２１、ｓ２２、ｓ′１１、ｓ′１２、ｓ′２１及びｓ′２２を情報ドットとし、すべての情報ドットを４つの格子位置に配置することによって、４つのデータ、即ち２ビットの情報を記述することができる。ｓ３１、ｓ３２、ｓ′３１、ｓ′３２を垂直基準ドットとし、ｓ１３、ｓ２３、ｓ′１３、ｓ′２３を水平基準ドットとする。
【手続補正５６】
【補正対象書類名】明細書
【補正対象項目名】００６５
【補正方法】変更
【補正の内容】
【００６０】  図１４の（２２−１）の中の（ａ）を普通のフォントとし、その特徴はｓ３３のドットを左へずれていることによって、ドットパターンの方向を表すキードットとする。残りの垂直基準ドットと水平基準ドットはすべて中心に配置している。
図１４の（２２−１）の中の（ｂ）をスタートと終了フォントとし、その特徴はｓ′３３のドットを右へずれているによって、ドットパターンの方向を表すキードットとする。同様に、残りの垂直基準ドットと水平基準ドットはすべて中心に配置している。
【手続補正５７】
【補正対象書類名】明細書
【補正対象項目名】００６６
【補正方法】変更
【補正の内容】
【００６１】  図１４の（２２−２）はただ１つの４５度の仮想基準線があるドットパターンのフォントの構成方法である。図１４の（２２−２）に示すように、（２２００’）をただ１つの４５度の仮想基準線があるドットパターンのフォントとし、（２２０１’）を１つの３＊３セルとし、（２２０２’）を情報ドットとする。ｓ１２、ｓ１３、ｓ２１、ｓ２３、ｓ３１、ｓ３２、ｓ′１２、ｓ′１３、ｓ′２１、ｓ′２３、ｓ′３１及びｓ′３２を情報ドットとし、同様に、すべての情報ドットを４つの格子位置に配置することによって、４つのデータ、即ち２ビットの情報を記述することができる。ｓ１１、ｓ２２、ｓ３３、ｓ′１１、ｓ′２２及びｓ′３３を４５度基準ドットとする。
【手続補正５８】
【補正対象書類名】明細書
【補正対象項目名】００６７
【補正方法】変更
【補正の内容】
【００６２】図１４の（２２−２）の（ａ）を普通のフォントとし、その特徴はｓ１１、ｓ２２及びｓ３３がすべて中心にあることである。図１４の（２２−２）の（ｂ）を終了フォントとする、その特徴はｓ００とｓ’３３をキードットをとする。この２つのドットの距離は非常に近いことで、高速に基準ドットの位置を見つけることができる。キードットｓ００とｓ’３３をドットパターンの方向情報を表すことができるだけではなく、更に全体のドットパターンのスタートと終了情報を表すことができる。
【手続補正５９】
【補正対象書類名】明細書
【補正対象項目名】００６８
【補正方法】変更
【補正の内容】
【００６３】  図１４の（２２−３）はＧＲＩＤというドットパターンのフォントの構成の方法である。
ＧＲＩＤ  ドットパターンの情報記述の仕組みは４点の格子ドットで囲まれた中心を仮想基準点にして、これを始点として、方向ベクトルにより、表現した終点に情報ドットを配置して情報を定義する。本考案はこのようなドットパターンをフォント形式に構成することを提案する。その特徴は、このようなコードはベクトルデータの形式で構成するので、データからドット・マトリックスへ変換するスピードを高めさせ、更に可変情報を印刷するスピードを高めることもできて、メモリの使用などを減らすことも可能である。
【手続補正６０】
【補正対象書類名】明細書
【補正対象項目名】００６９
【補正方法】変更
【補正の内容】
【００６４】  図１４の（２２−３）に示すように、このフォントには、ｓ１１、ｓ１２、ｓ３１、ｓ３２を４つの格子ドットとし、情報ドットｓ２１はこの４つの格子ドットを囲まれた仮想基準点に対して、異なる距離、異なる方向、異なる位置によって、マルチビット情報を記録することができる。従って、格子ドットｓ１２、ｓ１３、ｓ３２、ｓ３３は情報ドットｓ２２に対応し、格子ドットｓ３１、ｓ３２、ｓ５１、ｓ５２は情報ドットｓ４１に対応し、格子ドットｓ３２、ｓ３３、ｓ５２、ｓ５３は情報ドットｓ４２に対応する。同上、情報ドットは四つの角に配置して、２ビット情報を記録することができる。
図１４の（２２−３）の（ａ）に示すフォントには四つの情報ドットがあるので、８ビット情報を記録することができる。このフォントをメインフォントとする。
【手続補正６１】
【補正対象書類名】明細書
【補正対象項目名】００７０
【補正方法】変更
【補正の内容】
【００６５】  図１４の（２２−３）の（ｂ）に示すように、このフォントの中で、格子ドットｓ６１、ｓ８１が左側のフォントの格子ドットと合わせて、４つの格子ドットを構成する。例えば右側のフォントの格子ドットｓ６１、ｓ８１が左側のフォントの格子ドットｓ１３、ｓ３３と合わせて、構成された４つの格子ドットに対して、情報ドットｓ７１はこの４つの格子ドットに囲まれた仮想の基準点を基準にして、異なる距離、異なる方向、異なる位置によって、マルチビット情報を記録することができる。
従って、格子ドットｓ６１、ｓ６２、ｓ８１、ｓ８２は情報ドットｓ７２に対応し、格子ドットｓ８１、ｓ１０１と左側のフォントの格子ドットｓ３３、ｓ５３は情報ドットｓ９１に対応し、格子ドットｓ８１、ｓ８２、ｓ１０１、ｓ１０２は情報ドットｓ９２に対応する。同上、情報ドットは四つの角に配置し、２ビット情報を記録することができる。同様に、図１４の（２２−３）の（ｂ）に示すフォントには四つの情報ドットがあり、８ビット情報を記述することができる。図１４の（２２−３）の（ｂ）に示すフォントは右上方向に拡大するフォントと称する。つまり、コードの情報を記述する容量を高めるため、限界なく、右上方向に広げることができる。
【手続補正６２】
【補正対象書類名】明細書
【補正対象項目名】００７１
【補正方法】変更
【補正の内容】
【００６６】    図１４の（２２−３）の（ｃ）に示すように、このフォントの中で、ｓ１２１、ｓ１２２と上のフォントの格子ドットｓ５１、ｓ５２は、情報ドットｓ１１１に対応し、格子ドットｓ１２２、ｓ１２３と上のフォントの格子ドットｓ５２、ｓ５３は情報ドットｓ１１２に対応し、格子ドットｓ１２１、ｓ１２２、ｓ１４１、ｓ１４２は情報ドットｓ１３１に対応し、格子ドットｓ１２２、ｓ１２３、ｓ１４２、ｓ１４３は情報ドットｓ１３２に対応する。
図１４の（２２−３）の（ｃ）に示すフォントは左下方向に拡大するフォントと称する。つまり、コードの情報を記録する容量を高めるため、制限なく、左下に広げることができる。
【手続補正６３】
【補正対象書類名】明細書
【補正対象項目名】００７２
【補正方法】変更
【補正の内容】
【００６７】  図１４の（２２−３）の（ｄ）に示すように、このフォントの中で、ｓ１６１、左下のフォント（ｃ）の格子ドットｓ１２３と、左上のフォントの格子ドットｓ５３と、右上のフォントの格子ドットｓ１０１と合わせて、構成された４つの格子ドットは、情報ドットｓ１５１に対応し、格子ドットｓ１６１、ｓ１６２と右上のフォントの格子ドットｓ１０１、ｓ１０２は情報ドットｓ１５２に対応し、格子ドットｓ１６１、ｓ１８１と左下のフォントの格子ドットｓ１２３、ｓ１４３は情報ドットｓ１７１に対応し、格子ドットｓ１６１、ｓ１６２、ｓ１８１、ｓ１８２は情報ドットｓ１７２に対応する。
図１４の（２２−３）の（ｄ）に示すフォントは右下方向に拡大するフォントと称する。つまり、コードの情報を記録する容量を高めるため、制限なく、右下に広げることができる。
【手続補正６４】
【補正対象書類名】明細書
【補正対象項目名】００７３
【補正方法】変更
【補正の内容】
【００６８】  上記はただドットパターンをフォント形式によってベクトル化の画像データに変換する例だけを説明した。上記の方法を参考して、更に様々なフォント形質を構成することがあるが、ドットパターンをフォント形式によってベクトル化の画像データに変換するすべて手法に対して、すべて本考案範囲以内に属する。
【手続補正６５】
【補正対象書類名】明細書
【補正対象項目名】００７４
【補正方法】変更
【補正の内容】
【００６９】  図１５は３＊３個フォントで構成した可変長ドットパターンの例である。図１５に示すように、（２３００）は３＊３個のフォントを用いて、構成した９＊９ドットの可変長ドットパターンを表す、（２３０１）は可変長ドットパターンの開始フォントのキードットを表す、（２３０２）可変長ドットパターンの終了フォントのキードットを表す。これによってｎ＊ｎ個ドットの可変長ドットパターンを構成することができる。
【手続補正６６】
【補正対象書類名】明細書
【補正対象項目名】００７５
【補正方法】変更
【補正の内容】
【００７０】  図１６はもう一種類３＊３個フォントで構成した可変長ドットパターンの例である。図１６に示すように、（２４００）は一つの３＊３個のフォントで構成した９＊９ドットの可変長ドットパターンを表し、（２４０１）は可変長ドットパターンの開始フォントのキードットを表し、（２４０２）可変長ドットパターンの終了フォントのキードットを表す。従って、ｎ＊ｎ個ドットの可変長のドッパターンを構成することができる。
【手続補正６７】
【補正対象書類名】明細書
【補正対象項目名】００７６
【補正方法】変更
【補正の内容】
【００７１】  図１７は２＊２個フォントで構成した可変長ドットパターンの例である。図１７に示すように、（２５００）は一つの２＊２個のフォントで構成した可変長ドットパターンを表し、（２５０１）は可変長ドットパターンの開始フォントのキードットを表し、（２５０２）可変長ドットパターンの終了フォントのキードットを表す。同様に従って、ｎ＊ｎ個ドットのドットパターンを構成することができる。
【手続補正６８】
【補正対象書類名】明細書
【補正対象項目名】００７７
【補正方法】変更
【補正の内容】
【００７２】  図１８は大容量ドットパターンの情報記述の例である。
図１８に示すように、（２７００）を、マルチビット情報を記録することができる２＊２ピクセルとし、（２７０１）を情報ドットとする。ここで、情報ドットが２＊２ピクセル（ａ）に配置された状態を情報“０”とし、情報ドットを２＊２ピクセル（ｂ）に配置された状態を情報“１”とし、情報ドットを２＊２ピクセル（ｃ）に配置された状態を情報“２”とし、情報ドットを２＊２ピクセル（ｄ）に配置された状態を情報“３”とする。
【手続補正６９】
【補正対象書類名】明細書
【補正対象項目名】００７８
【補正方法】変更
【補正の内容】
【００７３】  ここで、１つのシンボルの必要な領域をピクセルとする、図１８に示すように、四つのピクセルを用いて、２ビットの情報を記録することができる。普通の二次元コードに比べると、情報を記録する容量が半分になるが、情報ドットの必要な領域が普通の二次元コードの１／４だけである。すなわち３／４の領域が埋め込む対象画像に使用されることが可能であり、また、全体的に、階調を均一化になるし、情報埋込コードのコード構造として応用できる。
【手続補正７０】
【補正対象書類名】明細書
【補正対象項目名】００７９
【補正方法】変更
【補正の内容】
【００７４】  図１９は大容量ドットパターンの示す図である。
図１９に示すように、（２８００）を一つの９＊９ドットによって構成されたドットパターンとし、（２８０１）を情報ドットとし、（２８０２）を基準ドットとし、（２８０３）をキードットとする。キードットの役割は、それぞれドットパターンの方向、ドットパターンの開始と終了位置を表し、高速に基準ドットを特定することである。
【手続補正７１】
【補正対象書類名】明細書
【補正対象項目名】００８０
【補正方法】変更
【補正の内容】
【００７５】  図１９に示したドットパターンを９＊９個ドットによって構成し、その８１個ドットの中で、４５度仮想基準線を構成するために、９個基準ドットの必要があり、残り７２個情報ドットがある。一つの情報ドットごとに２ビットの情報を記述することができるので、７２個情報ドットを用いて１４４ビットの情報を記述することができる。普通の二次元コードの２８８ビットの情報を記録する容量に比べて、半分しかないが、情報ドットが必要なマイクロセルの数が普通の二次元コードの１／４だけである。３／４の領域が埋め込む対象画像に使用されることが可能である。
【手続補正７２】
【補正対象書類名】明細書
【補正対象項目名】００８１
【補正方法】変更
【補正の内容】
【００７６】
上述図１４−１９に示したドットパターンが幾何学的な異なる位置、或は物理学的な位相変調の結果によってマルチビットを記述することに属する。
また、キードットは、位置すれたり、複数なドットを表れたりすることによって、コードの方向や、コードの構造などを高速で特定することができる手法に対して、すべて本考案に属する。
基準ドットに基づいて、異なる位置によってマルチビット情報を記述できるドットパターンに対して、文字フォントを用いて、ベクトル化を行うすべての手法が本考案に属する。
【産業上の利用可能性】
【手続補正７３】
【補正対象書類名】明細書
【補正対象項目名】００８２
【補正方法】変更
【補正の内容】
【００７７】
以上携帯電話を導入したマルチメディア手帳、はがき、写真及びシールの商品構成の考案を記載した、しかし、携帯電話を導入したマルチメディアの構成はマルチメディア手帳、はがき、写真及びシールだけではなく、マクロレンズのユニットを携帯電話カメラレンズに付加して、商品のカタログに置くと、インターネットを介入して詳細な商品の説明を再生することができる、また、語学教材、ことも絵本などの印刷マルチメディアを構成することも考案できる。
【符号の説明】
【手続補正７４】
【補正対象書類名】明細書
【補正対象項目名】００８３
【補正方法】追加
【補正の内容】
【００７８】１０１    携帯電話
１０２    マクロレンズ
１０３    マクロレンズユニットの支柱
１０４    手帳のある領域に印刷したドットパターン
１０５    手帳のあるページ
２０１    携帯電話
２０２    マクロレンズ
２０３    マクロレンズユニットの支柱
２０４    はがきの上に印刷したドットパターン
２０５    はがき
３０１    携帯電話
３０２    マクロレンズ
３０３    マクロレンズユニットの支柱
３０４    写真の上に印刷したドットパターン
３０５    写真
４０１    携帯電話
４０２    マクロレンズ
４０３    マクロレンズユニットの支柱
４０４    シールの上に印刷したドットパターン
４０５    シール
５０１    支柱方式のマクロレンズユニット
５０２    マクロレンズ
５０３    支柱
５０１’  鏡筒方式のマクロレンズユニット
５０２’  マクロレンズ
５０３’  鏡筒
６０１    ドットパターン
６０２    情報ドット
６０３    情報ドット
１１０１  ドットパターン
１１０２  情報ドット
１２０１  印刷しないドット
１２０２  印刷するドット
１３０１  情報ドット
１３０２  基準ドット
１３０３  基準ドット
２２００  一つの水平と垂直の仮想基準線があるドットパターンのフォント
２２０１  １つの３＊３セル
２２０２  情報ドット
２２００’１つの４５度の仮想基準線があるドットパターンのフォント
２２０１’１つの３＊３セル
２２０２’情報ドット
２３００  一つの３＊３個の文字フォントで構成した９＊９ドットの可変長ドットパターン
２３０１  可変長ドットパターンの開始文字フォントのキードット
２３０２  ドットパターンの終了文字フォントのキードット
２４００  一つの３＊３個の文字フォントで構成した９＊９ドットの可変長ドットパターン
２４０１  可変長ドットパターンの開始文字フォントのキードット
２４０２  ドットパターンの終了文字フォントのキードット
２５００  一つの２＊２個のフォントで構成した可変長ドットパターン
２５０１  可変長ドットパターンの開始文字フォントのキードット
２５０２  ドットパターンの終了文字フォントのキードット
２７００  ２＊２ピクセル
２７０１  情報ドット
２８００  一つの９＊９ドットによって構成されたドットパターン
２８０１  情報ドット
２８０２  基準ドット
２８０３  キードット